(57)【要約】【課題】  機種によって画面の大きさが異なる機器を端末装置として用いる通信システムにおけるコンテンツ提供者の作業負担を軽減する。【解決手段】  提供装置１は、端末装置から送信されたアドレス情報及び機種情報を受信部１６により受信すると、表示用情報生成部１４ａにより、前記受信したアドレス情報により指定されたコンテンツページのページ設定情報を参照して、当該コンテンツページに対応した素材情報を素材記憶部１１から取得すると共に、前記受信した機種情報に対応する機種の属性情報を加工記憶部１２から取得して素材情報の加工の仕方を決定し、当該決定された加工の仕方で対象の素材情報に加工を施した後に、当該加工後の素材情報を用いてページ設定情報に従ってコンテンツページを生成し、当該生成されたコンテンツページを送信部１５により要求元の端末装置へ送信する。【選択図】  図２
2010238070.tif 000002
【特許請求の範囲】
【請求項１】
提供装置が端末装置へ表示用情報を送信する通信システムにおいて、
前記端末装置は、表示対象とする表示用情報を指定する情報及び当該端末装置の機種を特定する情報を前記提供装置へ送信する要求送信手段を備え、
前記提供装置は、前記端末装置に対して送信する表示用情報を生成する元となる素材情報を記憶する素材記憶手段と、端末装置の機種毎に対応付けて素材情報の加工の仕方を記憶する加工記憶手段と、前記端末装置から送信された表示対象とする表示用情報を指定する情報及び当該端末装置の機種を特定する情報を受信する要求受信手段と、前記素材記憶手段に記憶されており且つ前記要求受信手段により受信された情報により指定された前記表示対象とする表示用情報に対応した素材情報に対して、前記要求受信手段により受信された情報により特定された端末装置の機種に対応付けて前記加工記憶手段に記憶された加工の仕方で加工を行うことにより、表示用情報を生成する表示用情報生成手段と、前記表示用情報生成手段により生成された表示用情報を前記端末装置へ送信する表示用情報送信手段と、を備え、
前記端末装置は、前記提供装置から送信された表示用情報を受信する表示用情報受信手段と、前記表示用情報受信手段により受信された表示用情報を画面に表示する表示手段と、を備えた、
ことを特徴とする通信システム。
【請求項２】
請求項１に記載の通信システムにおいて、
前記提供装置に備えられた前記表示用情報生成手段は、前記端末装置の画面を縦方向で見るために生成される表示用情報に横長画像が含まれる場合には、当該表示用情報に当該横長画像に関する拡大表示用のボタンを含め、
前記端末装置は、ユーザによる操作を受け付ける操作受付手段と、前記表示手段により表示された表示用情報に含まれる前記拡大表示用のボタンの操作が前記操作受付手段により受け付けられた場合に、その拡大表示の指示を示す信号を前記提供装置へ送信する拡大指示送信手段と、を備え、
前記提供装置は、前記端末装置から送信された前記拡大表示の指示を示す信号を受信する拡大指示受信手段を備え、
前記提供装置では、前記拡大指示受信手段により前記拡大表示の指示を示す信号が受信された場合には、前記表示用情報生成手段が、当該拡大表示の指示に該当する表示用情報に含まれる横長画像について、当該横長画像を含み且つ前記端末装置の画面を横方向で見るための表示用情報を生成し、前記表示用情報送信手段が、当該生成された表示用情報を前記端末装置へ送信する、
ことを特徴とする通信システム。
【請求項３】
端末装置へ表示用情報を送信する提供装置において、
端末装置に対して送信する表示用情報を生成する元となる素材情報を記憶する素材記憶手段と、
端末装置の機種毎に対応付けて素材情報の加工の仕方を記憶する加工記憶手段と、
端末装置から送信される表示対象とする表示用情報を指定する情報及び当該端末装置の機種を特定する情報を受信する要求受信手段と、
前記素材記憶手段に記憶されており且つ前記要求受信手段により受信された情報により指定された前記表示対象とする表示用情報に対応した素材情報に対して、前記要求受信手段により受信された情報により特定された端末装置の機種に対応付けて前記加工記憶手段に記憶された加工の仕方で加工を行うことにより、表示用情報を生成する表示用情報生成手段と、
前記表示用情報生成手段により生成された表示用情報を前記端末装置へ送信する表示用情報送信手段と、
を備えたことを特徴とする提供装置。
【請求項４】
端末装置へ表示用情報を送信する提供装置を構成するコンピュータに、
端末装置に対して送信する表示用情報を生成する元となる素材情報を記憶する素材記憶手段から素材情報を取得する素材取得機能と、
端末装置の機種毎に対応付けて素材情報の加工の仕方を記憶する加工記憶手段から素材情報の加工の仕方を取得する加工取得機能と、
端末装置から送信される表示対象とする表示用情報を指定する情報及び当該端末装置の機種を特定する情報を受信する要求受信機能と、
前記素材記憶手段に記憶されており且つ前記要求受信機能により受信された情報により指定された前記表示対象とする表示用情報に対応した素材情報に対して、前記要求受信機能により受信された情報により特定された端末装置の機種に対応付けて前記加工記憶手段に記憶された加工の仕方で加工を行うことにより、表示用情報を生成する表示用情報生成機能と、
前記表示用情報生成機能により生成された表示用情報を前記端末装置へ送信する表示用情報送信機能と、
を実現させるためのプログラム。
【発明の詳細な説明】
【技術分野】
【０００１】
本発明は、提供装置が端末装置へ表示用情報を送信する通信システム、当該通信システムを構成する提供装置およびそのプログラムに関する。
【背景技術】
【０００２】
近年、端末装置から情報要求を受信した提供装置が、文字や画像（例えば、静止画像、動画像）といった種々の形式の情報を内容として含むコンテンツ等の表示用情報を要求元の端末装置に送信して当該端末装置の画面に表示させる通信システムが実現されている。
また、このようなシステムに関し、種々の発明が提案されている（例えば、特許文献１参照。）。
【先行技術文献】
【特許文献】
【０００３】
【特許文献１】特開２００８−２４２８８８号公報
【発明の概要】
【発明が解決しようとする課題】
【０００４】
例えば携帯電話端末装置のように、その機種によって画面の大きさが異なる機器を端末装置として用いた通信システムでは、コンテンツ提供者としては、複数種類の大きさの画像を予め用意しておき、送信先となる端末装置の機種に応じた大きさの画像が端末装置に表示されるように、複数種類の表示用情報を予め作成することが考えられるが、これではコンテンツ提供者にとって大きな負担となってしまう。
本発明は、このような従来の事情に鑑み為されたもので、機種によって画面の大きさが異なる機器を端末装置として用いる通信システムにおけるコンテンツ提供者の作業負担を軽減することを目的とする。
【課題を解決するための手段】
【０００５】
上記目的を達成するために、本発明では通信システムを以下のように構成した。
本発明では、提供装置が端末装置へ表示用情報を送信する通信システムにおいて、前記端末装置は、表示対象とする表示用情報を指定する情報及び当該端末装置の機種を特定する情報を前記提供装置へ送信する要求送信手段を備え、前記提供装置は、前記端末装置に対して送信する表示用情報を生成する元となる素材情報を記憶する素材記憶手段と、端末装置の機種毎に対応付けて素材情報の加工の仕方を記憶する加工記憶手段と、前記端末装置から送信された表示対象とする表示用情報を指定する情報及び当該端末装置の機種を特定する情報を受信する要求受信手段と、前記素材記憶手段に記憶されており且つ前記要求受信手段により受信された情報により指定された前記表示対象とする表示用情報に対応した素材情報に対して、前記要求受信手段により受信された情報により特定された端末装置の機種に対応付けて前記加工記憶手段に記憶された加工の仕方で加工を行うことにより、表示用情報を生成する表示用情報生成手段と、前記表示用情報生成手段により生成された表示用情報を前記端末装置へ送信する表示用情報送信手段と、を備え、前記端末装置は、前記提供装置から送信された表示用情報を受信する表示用情報受信手段と、前記表示用情報受信手段により受信された表示用情報を画面に表示する表示手段と、を備える。
【０００６】
従って、提供装置により端末装置の機種に応じて素材情報が加工されて表示用情報が生成されるため、例えば複数種類の大きさの画像を予め用意する等の作業をコンテンツ提供者が行う必要がなくなり、コンテンツ提供者の作業負担を軽減することができる。
【０００７】
ここで、提供装置としては、種々なものが用いられてもよく、例えば、サーバ装置などを用いることができる。
また、端末装置としては、種々なものが用いられてもよく、例えば、携帯電話端末装置が用いられる。また、ｉＰｈｏｎｅ（登録商標）等の携帯端末装置が用いられてもよく、或いは、ＰＤＡ（Ｐｅｒｓｏｎａｌ  Ｄｉｇｉｔａｌ  Ａｓｓｉｓｔａｎｔ）端末装置や、パーソナルコンピュータ（ＰＣ）などを用いることもできる。なお、携帯電話端末装置のように携帯型で画面も小型である端末装置に適用されるのに好適である。
また、通信としては、例えば、有線の通信が用いられてもよく、或いは、無線の通信が用いられてもよく、或いは、これらの両方が用いられてもよい。
【０００８】
また、表示用情報としては、種々なものが用いられてもよく、例えば、文字情報や画像情報を組み合わせたコンテンツの情報を用いることができる。また、画像情報としては、例えば、静止画像を用いることができ、或いは、動画像などの他の形式の画像を用いることもできる。
また、表示対象とする表示用情報を指定する情報と、端末装置の機種を特定する情報としては、それぞれ種々な情報が用いられてもよく、また、これらの情報は、例えば、同時に（同一の信号に含まれて）端末装置から送信されてもよく、或いは、別々に（別々の信号として）端末装置から送信されてもよい。
また、素材情報としては、例えば、表示用情報を生成するための元となる画像情報が用いられる。また、素材情報としては、種々なものが用いられてもよく、例えば、文字情報などが用いられてもよい。
また、端末装置の機種に応じて加工の仕方を変える素材の対象としては、例えば、画像情報のみでもよく、画像情報及び文字情報でもよく、或いは、文字情報のみでもよい。
また、素材情報を加工して表示用情報を生成する仕方としては、種々なものが用いられてもよい。
また、素材情報の加工の仕方としては、種々の形式で記憶されてもよく、例えば、加工の仕方そのものが記憶される態様ばかりでなく、加工の仕方を決定するための基となる情報が記憶される態様が用いられてもよい。
【０００９】
本発明は、更に、前記提供装置に備えられた前記表示用情報生成手段は、前記端末装置の画面を縦方向で見るために生成される表示用情報に横長画像が含まれる場合には、当該表示用情報に当該横長画像に関する拡大表示用のボタンを含め、前記端末装置は、ユーザによる操作を受け付ける操作受付手段と、前記表示手段により表示された表示用情報に含まれる前記拡大表示用のボタンの操作が前記操作受付手段により受け付けられた場合に、その拡大表示の指示を示す信号を前記提供装置へ送信する拡大指示送信手段と、を備え、前記提供装置は、前記端末装置から送信された前記拡大表示の指示を示す信号を受信する拡大指示受信手段を備え、前記提供装置では、前記拡大指示受信手段により前記拡大表示の指示を示す信号が受信された場合には、前記表示用情報生成手段が、当該拡大表示の指示に該当する表示用情報に含まれる横長画像について、当該横長画像を含み且つ前記端末装置の画面を横方向で見るための表示用情報を生成し、前記表示用情報送信手段が、当該生成された表示用情報を前記端末装置へ送信する構成とされてもよい。
【００１０】
従って、横長画像を含む表示用情報を、端末装置の画面を横方向で見るために適したものとすることができる。
ここで、横長画像としては、例えば、画像の縦方向の長さよりも横方向の長さの方が長いものを言う。
また、拡大表示用のボタンとしては、種々なものが用いられてもよく、例えば、端末装置の画面に表示されて、ユーザによる操作により指定（クリック等）することが可能なものを用いることができる。
また、ユーザによる操作を受け付ける手段としては、種々なものが用いられてもよく、
例えば、キー、マウス、タッチパネル、などを用いることができる。
【００１１】
また、画像の拡大や縮小は、例えば、画像の縦横比を保持したまま行われるが、他の態様が用いられてもよい。
また、一例として、横長画像を含み且つ端末装置の画面を横方向で見るための表示用情報を生成する場合に、横長画像の縦方向の長さと端末装置の画面の横方向（画面を縦方向に見る場合における横方向）の長さを合わせるようなことが行われると好ましい。
本処理のイメージとしては、縦長の画面に横長画像を表示するときに当該横長画像の横方向を縮小する必要がある場合に、拡大表示の指示があったことに応じて、当該横長画像を９０度回転させたものを当該縦長の画面に表示させるようなものであり、この場合、当該画面を横方向で見れば当該横長画像がより大きい領域を使用して見られることとなる。
【００１２】
以下で、更に、本発明に係る別の構成例を示す。
本発明では、一構成例として、提供装置が端末装置へ表示用情報を送信する通信システムにおいて、前記端末装置は、表示対象とする表示用情報を指定する情報及び当該端末装置の機種を特定する情報を前記提供装置へ送信する要求送信手段を備え、前記提供装置は、前記端末装置に対して送信する表示用情報を生成する元となる素材情報を記憶する素材記憶手段と、端末装置の機種毎に対応付けて、１ページに含ませる最大の画像の数を含む素材情報の加工の仕方を記憶する加工記憶手段と、前記端末装置から送信された表示対象とする表示用情報を指定する情報及び当該端末装置の機種を特定する情報を受信する要求受信手段と、前記素材記憶手段に記憶されており且つ前記要求受信手段により受信された情報により指定された前記表示対象とする表示用情報に対応した素材情報に対して、前記要求受信手段により受信された情報により特定された端末装置の機種に対応付けて前記加工記憶手段に記憶された加工の仕方で加工を行うことにより、表示用情報を生成し、この際、前記１ページに含ませる最大の画像の数を超える画像が１ページに含まれる場合には、それぞれのページが前記１ページに含ませる最大の画像の数以下の画像を含む複数のページに分割して表示用情報を生成する表示用情報生成手段と、前記表示用情報生成手段により生成された表示用情報を前記端末装置へ送信する表示用情報送信手段と、を備え、前記端末装置は、前記提供装置から送信された表示用情報を受信する表示用情報受信手段と、前記表示用情報受信手段により受信された表示用情報を画面に表示する表示手段と、を備える。
【００１３】
従って、提供装置により端末装置の機種に応じた枚数の画像を含む表示用情報が生成されるため、例えば１ページに含ませる最大の画像の枚数を異ならせた複数種類の表示用情報を予め用意する等の作業をコンテンツ提供者が行う必要がなくなり、コンテンツ提供者の作業負担を軽減することができる。
ここで、表示対象とする表示用情報を指定する情報と、端末装置の機種を特定する情報としては、それぞれ種々な情報が用いられてもよく、また、これらの情報は、例えば、同時に（同一の信号に含まれて）端末装置から送信されてもよく、或いは、別々に（別々の信号として）端末装置から送信されてもよい。
また、端末装置の機種毎に対応付けられた１ページに含ませる最大の画像の数としては、種々に設定されてもよく、例えば、当該端末装置のキャッシュの容量や画面の大きさなどに基づいて設定される。
【００１４】
また、１ページ分の表示用情報としては、例えば、端末装置のキャッシュに一度に記憶されるもののことを言い、端末装置の１画面に収まらない表示サイズのものであってもよく、その場合にはスクロールを用いて全体が表示される。
また、複数のページに分割された表示用情報では、例えば、各ページの表示用情報に「次ページへ進むためのボタン」や「前ページへ戻るためのボタン」や「最初のページへ戻るためのボタン」や「最後のページへ進むためのボタン」などが含められて、ユーザによ
り操作が可能な構成とされてもよい。
また、他の構成例として、提供装置において、１ページに含ませる最大の画像の数が予め設定されてなく、表示用情報の生成時等に、端末装置の機種（例えば、そのキャッシュの容量など）の検出結果に合わせて１ページに含ませる最大の画像の数を決定するような構成を用いることも可能である。
【００１５】
本発明は、更に、前記提供装置に備えられた表示用情報生成手段は、前記１ページに含ませる最大の画像の数がゼロである場合（つまり、１枚も画像を表示することができない場合）には、画像の代わりに当該画像に対応する文字を含む表示用情報を生成する構成とされてもよい。
【００１６】
従って、１枚も画像を表示することができない機種の端末装置に対する表示用情報を適切なものとすることができる。
ここで、画像に対応する文字としては、例えば、予めメモリに設定されて記憶されており、具体例として、その画像の内容を説明する語句や文章などの文字を用いることができる。
【００１７】
本発明では、一構成例として、提供装置が端末装置へ表示用情報を送信する通信システムにおいて、前記端末装置は、表示対象とする表示用情報を指定する情報を前記提供装置へ送信する要求送信手段を備え、前記提供装置は、前記端末装置から送信された表示対象とする表示用情報を指定する情報を受信する要求受信手段と、前記要求受信手段により受信された情報により指定された前記表示対象とする表示用情報が、予め設定された複数の画像からなる画像群のうちの１の画像を拡大表示するものである場合には、当該１の画像を拡大表示するとともに当該画像群に含まれる他の全ての画像を縮小表示する表示用情報を生成する表示用情報生成手段と、前記表示用情報生成手段により生成された表示用情報を前記端末装置へ送信する表示用情報送信手段と、を備え、前記端末装置は、前記提供装置から送信された表示用情報を受信する表示用情報受信手段と、前記表示用情報受信手段により受信された表示用情報を画面に表示する表示手段と、ユーザによる操作を受け付ける操作受付手段と、前記表示手段により表示された表示用情報に含まれる前記縮小表示された画像のうちの１の画像の指定が前記操作受付手段により受け付けられた場合に、その１の画像の指定を示す信号を前記提供装置へ送信する画像指定送信手段と、を備え、前記提供装置は、前記端末装置から送信された前記１の画像の指定を示す信号を受信する画像指定受信手段を備え、前記提供装置では、前記表示用情報生成手段が、前記画像指定受信手段により指定が受け付けられた１の画像を拡大表示するとともに当該１の画像が属する画像群に含まれる他の全ての画像を縮小表示する表示用情報を生成し、前記表示用情報送信手段が、当該生成された表示用情報を前記端末装置へ送信する。
【００１８】
従って、提供装置により複数の画像からなる画像群のうちの１の画像を拡大表示して残りの画像を縮小表示する表示用情報を生成することで、端末装置では縮小表示された画像のうちで希望するものを操作者が指定することによりその画像を拡大表示させた表示用情報を表示させることができ、特に、携帯電話端末装置のように携帯型で画面も小型である端末装置に対する表示用情報として好適である。
ここで、複数の画像からなる画像群としては、種々に設定されてもよく、具体例としては、関連する複数の種類の自動車の写真からなる画像群や、関連する複数の種類の書籍の写真からなる画像群などを用いることができる。
また、ここでは、拡大表示と縮小表示とは、互いに相対的な大きさのことを言っており、ある１ページにおいて拡大表示の方が縮小表示より大きい画像となるが、それぞれの表示画像の大きさとしては任意に設定されてもよい。
【００１９】
本発明では、一構成例として、提供装置から端末装置に送信する表示用情報を生成する
元となる素材情報を前記提供装置が編集用装置から受信して記憶しておく通信システムにおいて、前記編集用装置は、前記提供装置へ画像を送信するアップ画像送信手段を備え、前記提供装置は、前記端末装置に対して送信する表示用情報を生成する元となる素材情報を記憶する素材記憶手段と、１枚あたりの画像の容量に関する所定の閾値を記憶する閾値記憶手段と、前記編集用装置から送信された画像を受信するアップ画像受信手段と、前記アップ画像受信手段により受信された画像の容量が前記閾値記憶手段に記憶された閾値を超えるか否かを判定する容量判定手段と、前記容量判定手段により前記アップ画像受信手段により受信された画像の容量が前記閾値記憶手段に記憶された閾値を超えることが判定された場合に、当該画像の容量を低下させる加工を行う加工手段と、前記容量判定手段により前記アップ画像受信手段により受信された画像の容量が前記閾値記憶手段に記憶された閾値を超えることが判定された場合には、前記加工手段により加工された画像を素材情報として前記素材記憶手段に記憶させ、前記容量判定手段により前記アップ画像受信手段により受信された画像の容量が前記閾値記憶手段に記憶された閾値を超えないことが判定された場合には、当該画像をそのまま素材情報として前記素材記憶手段に記憶させるアップ画像記憶制御手段と、を備える。
【００２０】
従って、編集用装置から送信された画像の容量が閾値を超える場合にはその容量を低下させたものを素材情報として記憶させることができるため、容量の大きな画像がそのまま素材情報として記憶されることによるメモリ容量の浪費を防止できる。また、編集用装置から提供装置へ画像を送信するに先立って送信対象の画像の容量を低下させる加工をコンテンツ提供者が行う必要がなくなり、コンテンツ提供者の作業負担を軽減することができる。
【００２１】
ここで、編集用装置としては、種々なものが用いられてもよく、例えば、パーソナルコンピュータ（ＰＣ）などを用いることができる。また、携帯電話端末装置が用いられてもよく、或いは、ｉＰｈｏｎｅ（登録商標）等の携帯端末装置や、ＰＤＡ端末装置などを用いることもできる。また、編集用装置は、例えば、提供装置における素材情報や加工の仕方の情報などを提供装置へ提供などするようなものが用いられる。なお、編集用装置から提供装置へは、例えば、素材情報や加工の仕方の情報のそのものが提供されてもよく、或いは、素材情報や加工の仕方の情報の基となる情報が提供されてもよい。
また、画像の容量としては、例えば、バイト数などのデータ量を用いることができる。
また、画像の容量に関する所定の閾値としては、種々な値が用いられてもよい。
また、画像の容量を低下させる加工としては、種々なものが用いられてもよい。また、例えば、この加工により容量を低下させた後の画像の容量が予め固定的に設定されてもよい。
【００２２】
本発明では、一構成例として、提供装置から端末装置に送信する表示用情報を生成する元となる素材情報を前記提供装置が編集用装置から受信して記憶しておく通信システムにおいて、前記編集用装置は、前記提供装置へ指定する画像の配置位置を指定する信号を送信する配置指定送信手段を備え、前記提供装置は、前記編集用装置から送信された指定する画像の配置位置を指定する信号を受信する配置指定受信手段と、前記配置指定受信手段により受信された信号の内容に基づいて、指定された画像を指定された配置位置に配置した表示用情報を生成する表示用情報生成手段と、を備える。
【００２３】
従って、コンテンツ提供者は、編集用装置を操作することによって、希望の位置に希望の画像を配置した表示用情報を提供装置により生成させることができる。
ここで、編集用装置から提供装置へ通知する画像の指定としては、例えば、指定する画像自体を送信してもよく、或いは、既に提供装置のメモリに記憶されている画像を指定する情報を送信してもよい。
また、画像の配置位置としては、例えば、表示用情報における左詰め、中央、右詰め、
などの種々な位置を用いることができる。
また、表示用情報における画像の配置位置としては、種々な態様で定義されてもよく、例えば、座標位置として定義されてもよく、或いは、左詰め、中央（センタリング）、右詰めなどが指定されて定義されてもよい。
【００２４】
本発明では、一構成例として、提供装置から端末装置に送信する表示用情報を生成する元となる素材情報を前記提供装置が編集用装置から受信して記憶しておく通信システムにおいて、前記編集用装置は、前記提供装置へ指定する画像に対する指定するスタンプの付与を指示する信号を送信するスタンプ要求送信手段を備え、前記提供装置は、前記編集用装置から送信された指定する画像に対する指定するスタンプの付与を指示する信号を受信するスタンプ要求受信手段と、前記スタンプ要求受信手段により受信された信号の内容に基づいて、指定された画像に対して指定されたスタンプを付与する加工を行うスタンプ付与手段と、を備える。
【００２５】
従って、コンテンツ提供者は、編集用装置においてスタンプを付与した画像を生成して提供装置へ送信する等の作業をする必要がなくなり、コンテンツ提供者の作業負担を軽減することができる。
ここで、編集用装置から提供装置へ通知する画像の指定としては、例えば、指定する画像自体を送信してもよく、或いは、既に提供装置のメモリに記憶されている画像を指定する情報を送信してもよい。
また、編集用装置から提供装置へ通知するスタンプ（スタンプの画像）の指定としては、例えば、指定するスタンプ自体を送信してもよく、或いは、既に提供装置のメモリに記憶されているスタンプを指定する情報を送信してもよい。
また、指定された画像に指定されたスタンプを付与する位置としては、種々な位置が用いられてもよく、例えば、提供装置に「中央」などの所定の位置が予め設定されてもよく、或いは、編集用装置から提供装置に対して位置を指定することが可能な構成が用いられてもよい。
【発明の効果】
【００２６】
本発明によると、例えば複数種類の大きさの画像を予め用意する等の作業をコンテンツ提供者が行う必要がなくなり、コンテンツ提供者の作業負担を軽減することができる。
【図面の簡単な説明】
【００２７】
【図１】本発明の一実施形態に係る通信システムの構成を例示する図である。
【図２】本発明の一実施形態に係る提供装置の機能ブロックを例示する図である。
【図３】本発明の一実施形態に係る端末装置の機能ブロックを例示する図である。
【図４】本発明の一実施形態に係る機種テーブルを例示する図である。
【図５】本発明の一実施形態に係る画像の加工態様を例示する図である。
【図６】本発明の一実施形態に係る端末装置の画面表示を例示する図である。
【図７】本発明の一実施形態に係る複数枚の画像を含むコンテンツページを例示する図である。
【図８】本発明の一実施形態に係る複数枚の画像を含むコンテンツページを例示する図である。
【図９】本発明の一実施形態に係る編集用装置の機能ブロックを例示する図である。
【図１０】本発明の一実施形態に係る画像の格納態様を例示する図である。
【図１１】本発明の一実施形態に係る画像の配置位置を指定されたコンテンツページを例示する図である。
【図１２】本発明の一実施形態に係る画像に対してスタンプを付与する態様を例示してある。
【発明を実施するための形態】
【００２８】
本発明の実施形態の一例を図面を参照して説明する。
本例では、コンテンツ提供者としての中古車販売業者が、販売対象として取り扱っている中古車に関する情報（中古車の写真やその説明文）を内容とした表示用情報（以下「コンテンツページ」という）をネットワークを通じて顧客に提供するシステムを例に説明する。
【００２９】
図１には、本例に係る通信システムの構成を例示してある。
本例の通信システムは、提供装置１、編集用装置２、基地局３、端末装置４、５、及びこれらの間における通信に用いられるネットワーク６、により構成されている。
編集用装置２は、中古車販売業者（コンテンツ提供者の一例）がコンテンツページの元となる素材情報（中古車の写真等の画像やその説明文等の文字など）を用意する際に操作される装置であり、例えばＰＣが用いられる。
提供装置１は、編集用装置２から送信（アップロード）される素材情報をハードディスクやデータベース等の記憶手段に記憶し、端末装置４、５からの要求に応じて対応する素材情報に基づくコンテンツページを生成して要求元に送信する装置であり、例えばサーバ装置が用いられる。
端末装置４、５は、顧客（操作者）による操作に応じて提供装置１にコンテンツページを要求し、これに応答して提供装置１から送信されるコンテンツページを画面に表示する装置である。なお、端末装置４は、基地局３を介した無線通信により情報送受を行う機能を有する装置であり、本例では携帯電話端末装置を用いている。また、端末装置５は、有線通信により情報送受を行う機能を有する装置であり、本例では据置型のＰＣを用いている。
【００３０】
本例の通信システムにおける提供装置１（本例ではサーバ装置）について、図２に例示する機能ブロック図を参照して説明する。
本例の提供装置１は、素材記憶部１１、加工記憶部１２、閾値記憶部１３、制御部１４、送信部１５、受信部１６、を有している。
【００３１】
素材記憶部１１は、コンテンツページの元となる素材情報（中古車の写真等の画像やその説明文等の文字など）を記憶する。なお、本例の素材記憶部１１には、コンテンツページと素材情報との関係を設定したページ設定情報も記憶されている。
加工記憶部１２は、端末装置の機種に関する情報を記憶する。図４には、その記憶データの一例である機種テーブルを例示してある。本例では、端末装置の機種を示す機種情報に対し、その機種の属性情報として、当該機種の画面サイズ（横方向のドット数×縦方向のドット数）、当該機種に対するコンテンツページの１ページに含ませることができる最大の画像の数を示す画像表示可能枚数が設定されており、これらの属性情報に基づいて素材情報の加工の仕方が決定される。つまり、加工記憶部１２には、端末装置の機種毎に対応付けて素材情報の加工の仕方が記憶されているといえる。なお、図４によると、機種Ａの画面サイズは２３０×２４０、画像表示可能枚数は５枚であり、機種Ｂの画面サイズは２４０×３２０、画像表示可能枚数は１０枚である。
閾値記憶部１３は、素材記憶部１１に素材情報として記憶される画像１枚あたりの容量の最大値を閾値として記憶する。
【００３２】
制御部１４は、提供装置１の動作を司る制御処理を行うほか、ページ設定情報及び素材情報に基づいてコンテンツページ（表示用情報）を生成する表示用情報生成部１４ａ、画像に対して加工を施す画像加工部１４ｂ、編集用装置２から素材情報として送信される画像の容量に関する判定を行う容量判定部１４ｃ、画像に対してスタンプ画像を付与するスタンプ付与部１４ｄ、を有している。
送信部１５は、外部の装置（編集用装置２や端末装置４、５など）に対して情報を送信
する。
受信部１６は、外部の装置（編集用装置２や端末装置４、５など）から送信された情報を受信する。
【００３３】
本例の通信システムにおける端末装置４（本例では携帯電話端末装置）について、図３に例示する機能ブロック図を参照して説明する。
本例の端末装置４は、操作受付部２１、表示部２２、制御部２３、送信部２４、受信部２５、を有している。
操作受付部２１は、キーボタンやタッチパネル等により構成され、顧客（操作者）からの操作入力を受け付ける。
表示部２２は、液晶パネル等により構成され、コンテンツページを表示出力して顧客（操作者）に提示する。
制御部２３は、端末装置４の動作を司る制御処理を行う。
送信部２４は、基地局３に対して情報を無線により送信することで、外部の装置（提供装置１など）に対して情報を送信する。
受信部２５は、外部の装置（提供装置１など）から送信された情報を基地局３を介して無線により受信する。
【００３４】
本例の通信システムにおける提供装置１から端末装置４へのコンテンツページの提供時の処理について説明する。
端末装置４は、提供装置１のコンテンツの閲覧を指示する操作入力を操作受付部２１により操作者から受け付けると、その操作入力により指示されたコンテンツページを指定する情報（ＵＲＬ（Ｕｎｉｆｏｒｍ  Ｒｅｓｏｕｒｃｅ  Ｌｏｃａｔｏｒ）などのアドレス情報）及び当該端末装置４の機種を特定する情報（機種ＩＤや機種名などの機種情報）を送信部２４により提供装置１へ送信する。
提供装置１は、端末装置４から送信されたアドレス情報及び機種情報を受信部１６により受信すると、当該受信したアドレス情報及び機種情報に応じたコンテンツページを表示用情報生成部１４ａにより生成する。具体的には、受信したアドレス情報により指定されたコンテンツページのページ設定情報を参照して、当該コンテンツページに対応した素材情報を素材記憶部１１から取得すると共に、受信した機種情報に対応する機種の属性情報を加工記憶部１２（機種テーブル）から取得して素材情報の加工の仕方を決定し、当該決定された加工の仕方で対象の素材情報に加工を施した後に、当該加工後の素材情報を用いて前記ページ設定情報に従ってコンテンツページを生成する。本例では、素材情報のうちの画像の加工については画像加工部１４ｂにより行う。表示用情報生成部１４ａにより生成されたコンテンツページは、送信部１５によりコンテンツページの要求元の端末装置４へ送信される。
端末装置４は、提供装置１から送信されたコンテンツページを受信部２５により受信すると、当該コンテンツページを表示部２２に表示出力して操作者に提示する。
【００３５】
表示用情報生成部１４ａによるコンテンツページの生成処理について、より具体的に説明する。
まず、端末装置４の表示部２２の１画面に収まる大きさでなるべく大きく画像を表示するよう設定されたページ設定情報に係るコンテンツページの生成処理について説明する。
表示用情報生成部１４ａは、受信したアドレス情報により指定されたコンテンツページのページ設定情報を参照して、当該コンテンツページに対応した素材情報を素材記憶部１１から取得する。また、表示用情報生成部１４ａは、受信した機種情報に対応する機種の属性情報を加工記憶部１２（機種テーブル）から取得して、要求元の端末装置４の画面サイズを特定する。表示用情報生成部１４ａは、画像加工部１４ｂに対し、素材記憶部１１から取得した画像を端末装置４の画面サイズに応じた大きさに表示サイズを変換する指示を行う。画像加工部１４ｂは、表示用情報生成部１４ａによる指示に従って、画像の表示
サイズを端末装置４の画面サイズに収まる最大の大きさとなるよう変換する加工を行う。表示用情報生成部１４ａは、画像加工部１４ｂによる加工後の画像を用いて、ページ設定情報に従ってコンテンツページを生成する。
【００３６】
図５には、画像の加工態様の一例を示してある。
図５（ａ）は加工前の画像（中古車の写真）であり、図５（ｂ）は機種Ａ用に加工を行った後の画像でり、図５（ｃ）は機種Ｂ用に加工を行った後の画像である。すなわち、機種Ａ用の画像は、機種Ａの画面サイズ（図４の例では「２３０×２４０」）に応じた変換率で縮小されており、機種Ｂ用の画像は、機種Ｂの画面サイズ（図４の例では「２４０×３２０」）に応じた変換率で縮小されており、それぞれの機種（画面サイズ）に応じた大きさに表示サイズを変換されていることが分かる。
【００３７】
図６には、端末装置４による画面表示の一例を示してある。
図６（ａ）には、端末装置４の画面（表示部２２）部分を例示してあり、図６（ｂ）には、その表示用に生成されたコンテンツページ３１を例示してある。このように、本例では、コンテンツページ３１に含まれる画像３２が、端末装置４の画面サイズに沿った大きさに表示サイズを変換されている。
【００３８】
ここで、本例の表示用情報生成部１４ａは、縦長の画面（表示部２２）を有する端末装置４に対するコンテンツページ３１の生成において、コンテンツページ３１内の画像が横長の場合には、その横長画像を拡大表示させる指示を操作者から受け付けるためのボタン３３（図示の例では［大画面で見る］ボタン）をコンテンツページ３１に含めるようにしている。なお、本例では、端末装置４の画面が縦長か否かを機種テーブル（加工記憶部１２）に設定された画面サイズに基づいて判定しているが、各機種の画面が縦長か否かを示す情報を機種テーブルに予め設定しておいてもよい。
【００３９】
このようなコンテンツページ３１が表示された端末装置４では、操作受付部２１により操作者からボタン３３に対する操作（例えばクリック操作）を受け付けると、その旨を示す情報（すなわち、横長画像の拡大表示を指示する拡大指示情報）を送信部２４により提供装置１へ送信する。
提供装置１では、端末装置４から送信された拡大指示情報を受信部１６により受信すると、表示用情報生成部１４ａは、対象の横長画像を９０度回転させて縦長画像にした後に端末装置４の画面サイズに応じた大きさに表示サイズを変換する指示を行う。画像加工部１４ｂは、表示用情報生成部１４ａによる指示に従って、横長画像を９０度回転させて縦長画像にした後に端末装置４の画面サイズに収まる最大の大きさとなるよう変換する加工を行う。表示用情報生成部１４ａは、画像加工部１４ｂによる加工後の画像を用いてコンテンツページを生成する。その後、当該コンテンツページを送信部１５により端末装置４へ送信する。
端末装置４は、提供装置１から送信されたコンテンツページを受信部２５により受信すると、当該コンテンツページを表示部２２に表示出力する。
これにより、図６（ｃ）に例示するように、端末装置４に表示されるコンテンツページ３４は、縦長の画面（表示部２２）を横方向にして見るために適したものとなる。したがって、端末装置４の１画面で見れる最大の大きさで画像を表示することができる。
【００４０】
なお、本例では、加工前と加工後とで画像の縦横比が維持されるような加工を行っているが、端末装置４の操作者が画像に対して違和感を抱かない等の実用上有効な範囲で画像の縦横比を変更する加工を行ってもよい。
また、本例では、端末装置４の機種（画面サイズ）に応じた画像の加工について説明したが、コンテンツページに含まれる文字に対して加工を行ってもよく、例えば、端末装置４の機種（画面サイズ）に応じて文字の大きさ（フォントサイズ）を変更する加工を行っ
てもよい。
【００４１】
次に、複数枚の画像を表示するよう設定されたページ設定情報に係るコンテンツページの生成処理の一例について説明する。
表示用情報生成部１４ａは、受信したアドレス情報により指定されたコンテンツページのページ設定情報を参照して、当該コンテンツページに対応した複数枚の画像を素材記憶部１１から取得し、これら複数枚の画像を含むコンテンツページを生成する。このとき、表示用情報生成部１４ａは、受信した機種情報に対応する機種の属性情報を加工記憶部１２（機種テーブル）から取得して、要求元の端末装置４の画像表示可能枚数を特定し、指定されたコンテンツページに対応する画像の枚数が画像表示可能枚数を超える場合には、各コンテンツページ内の画像枚数が画像表示可能枚数以下となるように複数ページに分割したコンテンツページを生成する。
【００４２】
図７には、上記処理により生成される複数枚の画像を含むコンテンツページの一例を示してある。
本例のコンテンツページ４１は、画像表示可能枚数が５枚の機種に対するものであり、複数ページに分割されたコンテンツページの切り替えのためのボタン４３、４４、４５、４６が設けられている。なお、ボタン４３は最初のページへ戻る指示を受け付けるものであり、ボタン４４は前ページへ戻る指示を受け付けるものであり、ボタン４５は次ページへ進む指示を受け付けるものであり、ボタン４６は最後のページへ進む指示を受け付けるものである。
【００４３】
このようなコンテンツページ４１が表示された端末装置４では、操作受付部２１により操作者からボタン４３、４４、４５、４６のいずれかに対する操作（例えばクリック操作）を受け付けると、その旨を示す情報（すなわち、ページの切り替えを指示するページ切替指示情報）を送信部２４により提供装置１へ送信する。
提供装置１は、端末装置４から送信されたページ切替指示情報を受信部１６により受信すると、表示用情報生成部１４ａによりページ切替指示情報に該当するページのコンテンツページを生成し、送信部１５により端末装置４へ送信する。
端末装置４は、提供装置１から送信されたコンテンツページを受信部２５により受信すると、当該コンテンツページを表示部２２に表示出力する。
【００４４】
ここで、本例の表示用情報生成部１では、画像表示可能枚数に０枚が設定されている機種に対しては、画像の代わりに当該画像に対応する文字を含むコンテンツページを生成するようにしている。また、本例では、画像のファイル名を当該画像に対応する文字として用いているが、例えば、画像毎に設定された文字（例えば画像の説明文）を素材記憶部１１に記憶しておき、これを画像の代わりに用いるようにしてもよい。
【００４５】
次に、複数枚の画像を表示するよう設定されたページ設定情報に係るコンテンツページの生成処理の他の例について説明する。
表示用情報生成部１４ａは、受信したアドレス情報により指定されたコンテンツページのページ設定情報を参照して、当該コンテンツページに対応した複数枚の画像を素材記憶部１１から取得し、これら複数枚の画像を含むコンテンツページを生成する。このとき、表示用情報生成部１４ａは、コンテンツページに含める複数枚の画像のうちの１枚を他の画像より大きいものとする。すなわち、１枚の画像については端末装置４の画面サイズに応じた大きさのメイン画像（本例では、端末装置４の機種（画面サイズ）に応じた表示サイズに画像加工部１４ｂにより変換した画像）を用い、他の画像についてはメイン画像より小さいサブ画像（例えばサムネイル画像）を用いてコンテンツページを生成する。
なお、本例では、素材記憶部１１へ素材情報としての画像を記憶させる際に、当該画像に対して予め生成した当該画像のサブ画像を関連付けて記憶させているが、例えば、コン
テンツページの生成の都度サブ画像を生成するようにしてもよく、これによりサブ画像の大きさを端末装置４の機種（画面サイズ）に応じて異ならせることができる。
【００４６】
図８には、上記処理により生成される複数枚の画像を含むコンテンツページの一例を示してある。
本例のコンテンツページ５１は、１枚のメイン画像５２及び４枚のサブ画像５３を含んでいる。なお、本例のコンテンツページ５１における各サブ画像５３は、その画像をメイン画像に切り替えるためのボタンとして機能するようにしてある。
【００４７】
このようなコンテンツページ５１が表示された端末装置４では、操作受付部２１により操作者から各サブ画像５３のいずれかに対する操作を受け付けると、その旨を示す情報（すなわち、メイン画像として（機種（画面サイズ）に応じた大きさで）表示する画像の切り替えを指示する画像切替指示情報）を送信部２４により提供装置１へ送信する。
提供装置１は、端末装置４から送信された画像切替指示情報を受信部１６により受信すると、画像切替指示情報に該当する画像をメイン画像とし、他の画像をサブ画像としたコンテンツページを表示用情報生成部１４ａにより生成し、送信部１５により端末装置４へ送信する。
端末装置４は、提供装置１から送信されたコンテンツページを受信部２５により受信すると、当該コンテンツページを表示部２２に表示出力する。
【００４８】
なお、これまでの説明では、画像加工部１４ｂによる画像の加工として、画像の表示サイズを変換する加工について説明したが、これに加えて、画像の画質を劣化させる加工を行うようにしてもよい。これは、例えば、画像の表示サイズを縮小する加工によって画像の容量（データ量）が低下されるが、これだけでは当該加工後の画像の容量が端末装置４のキャッシュメモリの容量（キャッシュ容量）を上回ってしまう場合のように、端末装置４のキャッシュメモリの容量に応じて画像の容量を低下させる必要がある場合などに有効な処理である。
【００４９】
具体的な処理内容を説明すると、例えば、加工記憶部１２（機種テーブル）に、機種の属性情報として当該機種のキャッシュメモリの容量を設定しておき、画像加工部１４ｂは、端末装置４から要求されたコンテンツページに含まれる画像の容量が、当該端末装置４の機種に関する属性情報に設定されたキャッシュメモリの容量から当該コンテンツページにおける画像以外の部分（例えば文字情報）の容量を差し引いた容量（画像に割り当てることが可能な容量）以下となるように、画質を劣化させる加工を行って画像の容量を低下させる。また、他の手法を採用してもよく、例えば、キャッシュメモリの容量に対応させて画像の容量の削減率を規定しておき、この削減率に従った加工により画像の容量を低下させるようにしてもよい。
【００５０】
また、これまでの説明では、無線通信により情報送受を行う端末装置４（本例では携帯電話端末装置）を対象に説明したが、有線通信により情報送受を行う端末装置５（本例では据置型のＰＣ）においても同様な処理を行っている。
すなわち、端末装置５からアドレス情報を提供装置１に送信する際に、当該端末装置５の機種情報を送信し、提供装置１ではこれらの情報に基づいてコンテンツページを生成して端末装置５に送信している。
なお、端末装置４、５が機種情報に代えて画面サイズ等の属性情報を提供装置１へ送信し、提供装置１がこの属性情報に応じたコンテンツページを生成するようにしてもよい。
【００５１】
次に、本例の通信システムにおける編集用装置２（本例ではＰＣ）について、図９に例示する機能ブロック図を参照して説明する。
本例の編集用装置２は、操作受付部６１、表示部６２、制御部６３、送信部６４、受信
部６５、を有している。
操作受付部６１は、キーボードやマウス等により構成され、コンテンツ提供者（操作者）からの操作入力を受け付ける。
表示部６２は、液晶ディスプレイ等により構成され、各種情報を表示出力してコンテンツ提供者（操作者）に提示する。
制御部６３は、編集用装置２の動作を司る制御処理を行う。
送信部６４は、外部の装置（提供装置１など）に対して情報を送信する。
受信部６５は、外部の装置（提供装置１など）から送信された情報を受信する。
【００５２】
本例の通信システムにおける編集用装置２から提供装置１への素材情報のアップロード（送信）時の処理について説明する。
編集用装置２は、コンテンツページを生成する元となる素材情報（中古車の写真等の画像やその説明文等の文字など）の提供装置１へのアップロードを指示する操作入力を操作受付部６１により操作者から受け付けると、その操作入力によりアップロードを指示された素材情報を送信部６４により提供装置１へ送信する。
提供装置１は、編集用装置２から送信された素材情報を受信部１６により受信すると、当該受信した素材情報を素材記憶部１１に格納する。
なお、本例では、ページ設定情報（コンテンツページと素材情報との関係を設定した情報）も、素材情報のアップロードと同様にして編集用装置２から提供装置１に送信されて、素材記憶部１１に格納される。
【００５３】
ここで、本例の提供装置１では、素材情報として画像を受信した場合には以下の処理を行う。
提供装置１は、受信した画像の容量が閾値記憶部１３に記憶された閾値を超えるか否かを容量判定部１４ｃにより判定し、閾値を超えないことが判定された場合には画像をそのまま素材記憶部１１に格納する一方、閾値を超えたことが判定された場合には画像の容量を低下させる加工（画像圧縮）を画像加工部１４ｂにより行った後に、当該加工後の画像を素材記憶部１１に格納する。
本例では、閾値記憶部１３に記憶された閾値を目標にして（閾値以下となるように）画像圧縮を行っているが、例えば、閾値とは別に画像圧縮の目標値を設定しておき、当該目標値以下となるように画像圧縮を行ってもよい。
また、本例では、素材記憶部１１へ画像を格納する際に、当該画像の表示サイズを縮小した画像を生成して元の画像に関連付けて記憶しており、これを前記サブ画像として用いるようにしている。
【００５４】
図１０には、アップロード対象の画像の容量が閾値を超える場合の画像の格納態様の一例を示してある。
図１０（ａ）はアップロード対象として受信した画像を例示しており、図１０（ｂ）は素材記憶部１１に格納された画像を例示している。すなわち、本例では、受信した画像に対して表示サイズを縮小する加工を行うことで画像の容量を低下させている。なお、画像の表示サイズはそのままにして、画質を劣化させることにより画像の容量を低下させる等の他の手法を採用してもよい。
【００５５】
次に、コンテンツページにおける画像の配置位置の設定について説明する。
編集用装置２は、コンテンツページと素材情報との関係に関する設定入力において、コンテンツページにおける画像の配置位置を指定する操作入力を操作受付部６１により操作者から受け付けた場合には、その配置位置の指定を含むページ設定情報を送信部６４により提供装置１に送信し、素材記憶部１１に格納させる。
【００５６】
図１１には、上記のようにして画像の配置位置を指定されたページ設定情報に基づくコ
ンテンツページの一例を示してある。
図１１に例示するコンテンツページ７１には、３つの画像７２、７３、７４が配置されている。画像７２は画面左側に配置する指定（左寄せ）がなされており、画像７３は画面右側に配置する指定（右寄せ）がなされており、画像７４は中央に配置する指定（センタリグ）がなされている。コンテンツ提供者（編集用装置２の操作者）は、対象となる画像について「左寄せ」、「右寄せ」、「センタリング」といった指定を行うだけでよい。なお、画像を配置する座標位置を指定するようにしてもよい。
【００５７】
次に、画像に対してスタンプ画像を付与する処理について説明する。
編集用装置２は、画像を指定してスタンプ付与を指示する操作入力を操作受付部６１により操作者から受け付けると、その旨を示す情報（すなわち、指定画像に対するスタンプ付与を指示するスタンプ指示情報）を送信部６４により提供装置１へ送信する。
提供装置１は、編集用装置２からスタンプ指示情報を受信部１６により受信すると、当該受信したスタンプ指示情報に該当する画像を素材記憶部１１から読み出し、当該画像と所定のスタンプ画像とをスタンプ付与部１４ｄにより合成し、当該合成後の画像により素材記憶部１１の画像を更新する（置き換える）。これにより、指定画像の表示をスタンプ画像が付与された態様とすることができる。
【００５８】
図１２には、画像に対してスタンプを付与する態様の一例を示してある。
図１２（ａ）はスタンプ画像を例示してあり、図１２（ｂ）はスタンプ付与後の画像を例示してある。すなわち、本例では、指定された画像に対して［商談中］のスタンプが付与されている。
なお、本例では、提供装置１に１つのスタンプ画像を予め用意しており、このスタンプ画像を指示画像に付与するようにしているが、編集用装置２からスタンプ画像を送信して指定画像に付与させるようにしてもよい。また、例えば、提供装置１に複数種類のスタンプ画像を用意しておき、編集用装置２の操作者により指定されたスタンプ画像を指定画像に付与させるようにしてもよい。
また、本例では、素材記憶部１１に格納されている画像に対してスタンプ画像を付与しているが、スタンプ画像を付与する対象となる指定画像を編集用装置２から提供装置１へ送信するようにしてもよい。
また、本例では、指定画像の中央部にスタンプ画像を付与しているが、他の位置に付与してもよい。なお、スタンプを付与する位置は予め設定されていてもよく、或いは、編集用装置２の操作者により指定されてもよい。
【００５９】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。例えば、本実施例では中古車販売業に適用した場合を示したが、書籍の販売業など、種々の業種や分野に適用されてもよい。
また、本発明に係るシステムや装置などにおいて行われる各種の処理としては、例えばプロセッサやメモリ等を備えたハードウエア資源においてプロセッサがＲＯＭ（Ｒｅａｄ
Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録
媒体からコンピュータに入力してプロセッサに実行させることにより、本発明に係る処理を遂行させることができる。
【符号の説明】
【００６０】
１：提供装置、  ２：編集用装置、  ３：基地局、  ４、５：端末装置、  ６：ネットワーク、  １１：素材記憶部、  １２：加工記憶部、  １３：閾値記憶部、  １４：制御部、  １４ａ：表示用情報生成部、  １４ｂ：画像加工部、  １４ｃ：容量判定部、  １４ｄ：スタンプ付与部、  １５：送信部、  １６：受信部、  ２１：操作受付部、  ２２：表示部、  ２３：制御部、  ２４：送信部、  ２５：受信部、  ６１：操作受付部、  ６２：表示部、  ６３：制御部、  ６４：送信部、  ６５：受信部
【図１】
2010238070.tif 000003
【図２】
2010238070.tif 000004
【図３】
2010238070.tif 000005
【図４】
2010238070.tif 000006
【図５】
2010238070.tif 000007
【図６】
2010238070.tif 000008
【図７】
2010238070.tif 000009
【図８】
2010238070.tif 000010
【図９】
2010238070.tif 000011
【図１０】
2010238070.tif 000012
【図１１】
2010238070.tif 000013
【図１２】
2010238070.tif 000014